(57)【要約】【課題】ユーザの健康状態を積極的に向上させること。【解決手段】  このサプリマスク１００は、ガーゼや不織布等の通気性を有する平面材の布材１ａを重ねあわせて成形したマスク本体１と、前記マスク本体１の両側に設けた掛け紐２とからなる。マスク本体１は、サプリメント粉５０を入れるためのシート体２０を裏面１ｃに有する。シート体２０は、全体が略縦方向のプリーツ状に形成される。マスク本体１及びシート体２０は、不織布等の布材１ａからなり高い通気性を有していることから、外側から空気を吸い込むときにサプリメント粉５０を微量に吸い込むことになり、当該サプリメント粉５０を口や鼻から効率よく体内に取り入れることが可能となる。【選択図】図１
2018123436.tif 000002
【特許請求の範囲】
【請求項１】
ガーゼや不織布等の通気性の平面材からなると共にその両側に掛け紐を有するマスク本体と、
通気性の平面材を重ねて袋状に形成され且つその上辺に開口部を有すると共に前記平面材には略縦方向にプリーツが設けられた、サプリメント粉を入れるためのシート体と、
を備えたことを特徴とするサプリマスク。
【請求項２】
更に、前記シート体は、前記マスク本体の裏面上辺ないしその近傍にその上辺で取り付けられることを特徴とする請求項１に記載のサプリマスク。
【請求項３】
前記シート体は、全体が扇形状であり、その側辺がマスク本体の側端辺に対して一定角度を有することを特徴とする請求項１又は２に記載のサプリマスク。
【請求項４】
マスク本体の裏面上部端縁にその上辺を取り付ける取付部を有すると共に、通気性の平面材を重ねて袋状に形成され且つ上辺に開口部を有し、略縦方向にプリーツが設けられた、サプリメント粉を入れることを特徴とするサプリマスク用シート体。
【発明の詳細な説明】
【技術分野】
【０００１】
本発明は、使用によりサプリメントを摂取できるサプリマスク及びサプリマスク用シート体に関する。
【背景技術】
【０００２】
従来から特許文献１に記載されているような衛生マスクが知られている。この衛生マスクは、細菌や花粉に対するバリア性を持たせた点に特徴がある。この衛生マスクは、その顔面被覆部分が、基材層とナノファイバ層とが積層された積層シートから構成されており、前記基材層は、ナノファイバ層の片面又は両面に積層されると共に多数の貫通孔を有する構成となっている。前記積層シートのナノファイバ層は、繊維径３５０ｎｍ以下のナノファイバからなる。
【先行技術文献】
【非特許文献】
【０００３】
【特許文献１】特開２０１６−６９７８７号公報
【発明の概要】
【発明が解決しようとする課題】
【０００４】
しかしながら、上記特許文献１に記載された衛生マスクは、単に細菌や花粉からのバリア性を持たせた点のみに特徴があり、ユーザの健康状態を積極的に向上させることはできないという問題点がある。本発明は、上記に鑑みてなされたものである。
【課題を解決するための手段】
【０００５】
上述した課題を解決し、目的を達成するために、本発明に係るサプリマスクは、ガーゼや不織布等の通気性の平面材からなると共にその両側に掛け紐を有するマスク本体と、通気性の平面材を重ねて袋状に形成され且つその上辺に開口部を有すると共に前記平面材には略縦方向にプリーツが設けられた、サプリメント粉を入れるためのシート体と、を備えたことを特徴とする。
【０００６】
また、本発明に係るサプリマスクは、上記発明において、更に、前記シート体は、前記マスク本体の裏面上辺ないしその近傍にその上辺で取り付けられることを特徴とする。
【０００７】
また、本発明に係るサプリマスクは、上記発明において、更に、前記シート体は、全体が扇形状であり、その側辺がマスク本体の側端辺に対して一定角度を有することを特徴とする。
【０００８】
また、本発明に係るサプリマスク用シート体は、マスク本体の裏面上部端縁にその上辺を取り付ける取付部を有すると共に、通気性の平面材を重ねて袋状に形成され且つ上辺に開口部を有し、略縦方向にプリーツが設けられた、サプリメント粉を入れることを特徴とする。
【図面の簡単な説明】
【０００９】
【図１】本発明の実施の形態１に係るサプリマスクを示す裏側平面図である。
【図２】図１に示したサプリマスクを示す表側平面図である。
【図３】図１に示したサプリマスクを示す分解構成図である。
【図４】シート体の取付変形例を示す説明図である。
【図５】本発明のサプリマスクに用いるサプリ袋を示す説明図である。
【図６】本発明のサプリマスクの使用状態を示す説明図である。
【図７】本発明のサプリマスクの使用状態を示す説明図である。
【図８】本発明の実施の形態２に係るサプリマスク用シート体を示す斜視図である。
【発明を実施するための形態】
【００１０】
（実施の形態１）
図１は、本発明の実施の形態１に係るサプリマスクを示す裏側平面図である。図２は、図１に示したサプリマスクを示す表側平面図である。図３は、図１に示したサプリマスクを示す分解構成図である。このサプリマスク１００は、ガーゼや不織布等の通気性を有する平面材の布材１ａを重ねあわせて成形したマスク本体１と、前記マスク本体１の両側に設けた掛け紐２とからなる。布材１ａの繊維の種類は問わない。絹、麻、羊毛、合成繊維のものを適宜使用できる。
【００１１】
不織布を用いる場合には、通気性が高い密度のものを用いる。例えば、ポリ乳酸や特殊ポリプロピレンから作られた極細繊維を集成した薄手の不織布フィルターを用いる。前記布材は、全体が横方向にプリーツ３が設けられており、使用時にユーザの顔面、特に口の周囲の顎や頬にフィットするように展開して広げることができる。プリーツ３の数は、例えば図示するように４段でも良いし、更に多数でも良い。
【００１２】
マスク本体１は、その裏面１ｃに、サプリメント粉５０を入れるためのシート体２０を有する。なお、当該裏面１ｃは、使用状態で顔側になる面である。シート体２０は、全体が略扇形状であり、上辺２１及び下辺２２が僅かに湾曲し、前記上辺２１が前記下辺２２より曲率が大きくなる。両側の側辺２３は、上に向かって開くように斜めに形成される。シート体２０は、２枚の通気性の平面材である布材２０ａ，２０ｂを重ねてその端縁を縫合（縫合部２０ｃ）することで全体的に袋状に形成されており且つその上辺２１に開口部２４が設けられている。
【００１３】
シート体２０は、全体的に略縦方向のプリーツ２５が設けられる。前記開口部２４は、重ねた布材２０ａ，２０ｂ毎にプリーツ加工されているので、鋸形状となる。なお、同図に示す例では、プリーツ２５の数は３段であるが、これ以上の多段にしても良い（図示省略）。プリーツ２５により、サプリメント粉５０がプリーツ２５の間に挟まれて保持されるため、サプリメント粉５０の移動が阻止され、使用による偏在を防止できる。また、このシート体２０は、図３に示すように、マスク本体１の裏面１ｃの略中央に取り付けられる。この取付状態で、当該シート体２０は、全体が扇形状であることから、その側辺２３がマスク本体１の側端辺１ｂに対して一定角度を有する。一定角度を持たせることで、マスクの使用状態において頬に隙間なくフィットするようになる。
【００１４】
また、シート体２０の上辺２１に開口部２４が設けられていることから、上辺２１では、プリーツ２５の端部が解放された状態になるため、横方向の広がりの自由度が極めて高いものとなる。一方、下辺２２では、プリーツ２５の端部が縫合されて固定状態にあるため、横方向の広がりの自由度は、上辺２１のそれより小さい。このように、略縦方向にプリーツ加工することにより、サプリメント粉が入れられたシート体２０が横方向に広がり、顔面の口周りにフィットするようになる。特に、上辺２１はプリーツ２５が解放されているので、より自由に広がり、鼻周りにフィットしやすくなる。一方で、下辺２２は、広がりの自由度が小さいため、顎付近に上手くフィットするものとなる。
【００１５】
シート体２０を構成する布材２０ａ，２０ｂの繊維の種類は問わない。絹、麻、羊毛、合成繊維のものを適宜使用できる。不織布を用いる場合には、通気性が高い密度のものを用いる。例えば、ポリ乳酸や特殊ポリプロピレンから作られた極細繊維を集成した薄手の不織布フィルターを用いる。
【００１６】
また、シート体２０は、図３に示すように、布材２０ａの上辺２１の近傍の取付部３０（裏面１ｃに面して布材２０ａに設けられる）においてのみ、前記マスク本体１の裏面１ｃの上辺２１近傍に取り付けられている。具体的には、図４（ａ）に示すように、マスク本体側の布材２０ａの上辺２１が当該マスク本体１の上端縁近傍に対して接着または固定される。顔側となる布材２０ｂの上辺２１はマスク本体１と固定されない。このため、開口部２４は、プリーツ２５により自由に開口できる状態になる。
【００１７】
また、取付の変形例として、前記シート体２０の上辺２１近傍の両端で前記マスク本体１の裏面１ｃの上辺２１近傍に取り付けても良い。その際、当該シート体２０は、図４（ｂ）に示すように、マスク本体１に対して若干緩んだ状態で取り付けることができる。即ち、シート体２０の上辺２１近傍の両端で固定するにあたり、シート体２０をたるませた状態で取り付ける。緩ませ具合又はたるませ具合は、マスク本体１の上辺２１が鼻の凹凸により変形してもそれに追従して変形し、マスク本体１よりも更に鼻の凹凸にフィットするようにする。このようなことから、シート体２０は、マスク本体１の変形とは独立して変形しやすくなり、自由に顔面形状に沿って変形できるようになる。マスク本体１に対するシート体２０の取り付けは、縫合しても良いし、接着しても良い。
【００１８】
前記シート体２０は、上辺２１のほうが下辺２２よりも大きく広がることから、サプリメント粉５０を入れる際に開口部２４付近から下方にかけて均一に分布させやすい。即ち、全体が均一に広く開口するとサプリメント粉５０が下部に溜まってしまうが、上辺２１が大きく開口し下辺２２になるほど狭くなるようになるため、サプリメント粉５０は、上下方向に比較的均一に保持される。
【００１９】
図５は、本発明のサプリマスク１００に用いるサプリ袋５１を示す説明図である。このサプリ袋５１は、内部に粉末状のサプリメント粉５０が封入された構成である（図中の破断図示の部分に示す）。サプリメント粉５０は、例えば、次の素材を細かく粉砕して所定粒径の粉末状にしたものである。
（１）ニンニク
（２）ハーブ
（３）高麗人参
【００２０】
ニンニクの効能は、抗菌、ガン予防（特に食道、胃、腸などの消化器系の予防）である。また、疲労回復  強壮、強精作用（細胞の酸化を防いだり、新陳代謝を高めて疲労回復を促す作用）やアンチエイジング作用（老化を防いで老廃物を除去する成分により、肌をきれいにして若さを保つこと）、高い殺菌効果、風邪予防、冷え性の改善が期待できる。
【００２１】
ハーブの効能は、ハーブの種類による。例えば、次のようなハーブをサプリメント粉５０として使用できる。
ボルトジンユ：花粉症、糖尿病、血糖値、メタボの改善
バーべインブルー：神経の強壮効果、疲れて眠れない夜の鎮静効果
キャンディミント：鎮静作用、胃もたれ・むかつきの緩和
ムスクマロウ  ピンクムスクマロウ：気管支炎、胃腸障害の緩和
ヒソップブルー：咳止め、疲労回復
レディースマントル：のどの痛みや口内の炎症の緩和
バレリアン（セイヨウカノコソウ）：香りが睡眠をサポート
【００２２】
高麗人参は万能薬として知られていることから、サプリメント粉５０として吸入することで様々な効果が期待できる。
【００２３】
前記サプリ袋５１は、サプリメント粉５０を手軽に扱うために適量を単位として当該サプリメント粉５０を封入している。当該サプリ袋５１は、紙製又は合成樹脂フィルムを袋状にした長尺なスティック形状である。端部は、容易に切断できるように公知の処理や切り込みが適用されている（図示省略）。なお、このサプリ袋５１は、本発明に係るサプリマスク１００の必須構成要件ではないが、このような形でサプリメント粉５０を封入することで、使用上大変利便性が高いものとなる。
【００２４】
図６は、本発明のサプリマスク１００の使用状態を示す説明図である。シート体２０の開口部２４を構成する手前（顔側）の布材２０ｂを引っ張ることで当該開口部２４を開く。このとき、プリーツ２５の重なり部分２５ａが広がり、当該開口部２４は比較的大きく開く。また、下辺２２はプリーツ２５の重なり部分２５ａが縫合されていることから、開き具合は小さい。
【００２５】
この状態で、サプリ袋５１の端部を切断し、内部のサプリメント粉５０を前記開口部２４からシート体２０の内部に入れる。サプリメント粉５０は、開口部２４から下辺２２付近にかけてまんべんなく分布した状態になる。サプリメント粉５０の分布状態の例を図１の点群で示す。そして、布材２０ａ，２０ｂを閉じてプリーツ２５の重なり部分２５ａを元に戻す。これにより、サプリメント粉５０がシート体２０の全体に分布した状態になる。また、プリーツ２５の間にサプリメント粉５０が挟まれて固定される。このため、使用中に下に落ちることがないため、サプリメント粉５０の偏在を防止できる。
【００２６】
マスク本体１をユーザが装着する場合、図７に示すように、マスク本体１の掛け紐２を耳に掛け、マスク本体１で口を覆う。そして、マスク本体１のプリーツ２５を伸ばして広げ、マスク本体１を顎の下まで下げて立体的にフィットさせる。また、鼻の周囲についてもフィットするように形を整えて調節する。このとき、シート体２０は、略縦方向のプリーツ２５により横方向に広がる。シート体２０の上辺２１はプリーツ２５の端部が解放されているので、十分に広がり鼻の凹凸にフィットする。また、下辺２２は、プリーツ２５の端部が縫合されているので、あまり広がらず、これによりサプリメント粉５０が下方に移動して溜まるのを防止し、また顎の周辺に対して前記マスク本体１により押し付けられてフィットする。
【００２７】
シート体２０の側辺２３は、マスク本体１の側端縁に対して一定角度を有していることから、頬に上手く当たるようになって頬との隙間をなくす。サプリマスク１００の使用状態では、マスク本体１が立体的に変形することになるが、シート体２０のプリーツ２５や縫合形態等によりサプリメント粉５０の偏在を防止し、一定の分布状態が保持される。
【００２８】
マスク本体１及びシート体２０は、不織布等の布材からなり高い通気性を有していることから、外側から空気を吸い込むときにサプリメント粉５０を微量に吸い込むことになり、当該サプリメント粉５０を口や鼻から効率よく体内に取り入れることが可能となる。
【００２９】
以上、本発明に係るサプリマスク１００によれば、装着することで微量のサプリメント粉５０を簡単に吸入できる。吸入の効能は、サプリメント粉５０の種類によるものとなる。また、サプリメント粉５０は、サプリ袋５１に封入したものでなくても良い。例えば、瓶等に入れたものを用いるようにしても良い。
【００３０】
（実施の形態２）
図８は、本発明の実施の形態２に係るサプリマスク用シート体２００を示す斜視図である。このサプリマスク用シート体２００は、上記実施の形態１のシート体２０を通常のマスクＭの裏面１ｃに取り付け可能にした構造となる。なお、実施の形態１と同じ構成要素には同一符号を付してその説明を省略する。
【００３１】
このサプリマスク用シート体２００の上辺２１両端近傍には、取付手段である粘着テープ３０１が設けられている。この粘着テープ３０１の離型紙を剥して一般的なマスクＭの裏面１ｃに貼り付ける。このとき、シート体２０は、図４に示したように、マスクＭに対して取り付ける。これにより上記実施の形態１と同等の作用効果を得ることができ、且つ、一般的に入手できる様々な寸法や種類のマスクＭに使用できるようになる。
【符号の説明】
【００３２】
１００  サプリマスク
１      マスク本体
２      掛け紐
２０  シート体
２１  上辺
２２  下辺
２４  開口部
２０ａ，２０ｂ  布材
２５  プリーツ
５１    サプリ袋
５０    サプリメント粉
【図１】
2018123436.tif 000003
【図２】
2018123436.tif 000004
【図３】
2018123436.tif 000005
【図４】
2018123436.tif 000006
【図５】
2018123436.tif 000007
【図６】
2018123436.tif 000008
【図７】
2018123436.tif 000009
【図８】
2018123436.tif 000010